(57)【要約】  電力供給手段と、第１の制御手段を有する情報端末装置に搭載され、前記電力供給手段より電力の供給を受け、前記第１の制御手段が出力する起動信号に応じて起動するカメラモジュールが開示されている。前記カメラモジュールは、撮像手段と、複数の撮影付帯機能手段と、前記供給された電力を調整するとともに当該調整された電力を前記カメラモジュールの各部に供給する電力調整手段と、前記カメラモジュールの各部にクロック信号を供給するクロック信号供給手段と、前記第１の制御手段から出力された起動信号を受信する起動信号受信手段と、前記起動信号が受信されるまでの間、前記クロック信号供給手段及び／又は電力調整手段を制御して、前記撮像手段及び撮影付帯機能手段に対し前記電力及び／又はクロック信号の供給を抑制する第２の制御手段とを含む。【特許請求の範囲】
【請求項１】
被写体を撮像して画像データを出力するカメラモジュールと、
当該カメラモジュールに電力を供給する電力供給手段と、
前記カメラモジュールを起動させる旨の起動信号を出力する第１の制御手段とを備えた情報端末装置であって、
前記カメラモジュールが、
撮像手段と、
複数の撮影付帯機能手段と、
前記供給された電力を調整するとともに当該調整された電力を前記カメラモジュールの各部に供給する電力調整手段と、
前記カメラモジュールの各部にクロック信号を供給するクロック信号供給手段と、
前記第１の制御手段から出力された起動信号を受信する起動信号受信手段と、
前記起動信号が受信されるまでの間、前記クロック信号供給手段及び／又は電力調整手段を制御して、前記撮像手段及び撮影付帯機能手段に対し前記電力及び／又はクロック信号の供給を抑制する第２の制御手段と、
を含むことを特徴とする情報端末装置。    
【請求項２】
前記カメラモジュールは、前記撮像手段及び撮影付帯機能手段を制御するための制御パラメータを記憶する記憶手段をさらに備え、
前記第２の制御手段は、前記起動信号が受信された際に、前記記憶された制御パラメータを読み込み、前記クロック信号供給手段及び／又は電力調整手段を制御して前記撮像手段及び撮影付帯機能手段に対し前記電力及び／又はクロック信号を供給した後、前記読み込まれた設定パラメータに基づいて前記撮像手段及び撮影付帯機能手段を起動させる制御を行うことを特徴とする請求の範囲第１項に記載の情報端末装置。
【請求項３】
前記第２の制御手段は、前記受信された起動信号が前記制御パラメータを変更する旨の信号を含んでいた際に、当該起動信号に基づいて前記制御パラメータを更新した後、この更新された設定パラメータを読み込むことを特徴とする請求の範囲第２項に記載の情報端末装置。
【請求項４】
前記制御パラメータは、前記撮像手段及び撮影付帯機能手段の動作を制御することが可能なデータを含んでいることを特徴とする請求の範囲第２項又は３項に記載の情報端末装置。
【請求項５】
前記起動信号は、シリアル通信信号であることを特徴とする請求の範囲第１項に記載の情報端末装置。
【請求項６】
外部の電力供給手段より電力の供給を受け、外部に設置された第１の制御手段が出力する起動信号に応じて起動するカメラモジュールであって、
撮像手段と、
複数の撮影付帯機能手段と、
前記供給された電力を調整するとともに当該調整された電力を前記カメラモジュールの各部に供給する電力調整手段と、
前記カメラモジュールの各部にクロック信号を供給するクロック信号供給手段と、
前記第１の制御手段から出力された起動信号を受信する起動信号受信手段と、
前記起動信号が受信されるまでの間、前記クロック信号供給手段及び／又は電力調整手段を制御して、前記撮像手段及び撮影付帯機能手段に対し前記電力及び／又はクロック信号の供給を抑制する第２の制御手段と、
を含むことを特徴とするカメラモジュール。    
【請求項７】
前記撮像手段及び撮影付帯機能手段を制御するための制御パラメータを記憶する記憶手段をさらに備え、
前記第２の制御手段は、前記起動信号が受信された際に、前記記憶された制御パラメータを読み込み、前記クロック信号供給手段及び／又は電力調整手段を制御して前記撮像手段及び撮影付帯機能手段に対し前記電力及び／又はクロック信号を供給した後、前記読み込まれた設定パラメータに基づいて前記撮像手段及び撮影付帯機能手段を起動させる制御を行うことを特徴とする請求の範囲第６項に記載のカメラモジュール。
【請求項８】
前記第２の制御手段は、前記受信された起動信号が前記制御パラメータを変更する旨の信号を含んでいた際に、当該起動信号に基づいて前記制御パラメータを更新した後、この更新された設定パラメータを読み込むことを特徴とする請求の範囲第７項に記載のカメラモジュール。
【請求項９】
前記制御パラメータは、前記撮像手段及び撮影付帯機能手段の動作を制御することが可能なデータを含んでいることを特徴とする請求の範囲第7項又は8項に記載のカメラモジュール。
【請求項１０】
前記起動信号は、シリアル通信信号であることを特徴とする請求の範囲第６項に記載のカメラモジュール。
【請求項１１】
前記電力供給手段と、前記第１の制御手段を有する情報端末装置に搭載されることを特徴とする請求の範囲第６項乃至１０項に記載のカメラモジュール。
【発明の詳細な説明】
【技術分野】
【０００１】
本発明は、被写体を撮像して画像データを出力する撮像装置としてのカメラモジュール及びそれを搭載した情報端末装置に関する。
【背景技術】
【０００２】
近年、情報端末装置としての携帯電話機等にカメラモジュール等の撮像装置を備えた撮像装置付き携帯電話機が提案されており、いつでも簡易に撮像を行うことができる点が評価されて一般に広く普及している。このような携帯電話機の撮像装置では、通常は携帯電話機として使用されており、ユーザから入力される撮影を行う旨の指示により撮像装置を起動させ、撮影可能状態となるよう構成されている。また、携帯電話機のケーシングが閉状態から開状態への変位を検出し、撮像装置を起動させる装置が提案されている（例えば、特許文献１参照）。【０００３】
ここで、図６を参照して、従来の撮像装置付き携帯電話機での、撮像装置が起動するに至るまでに行われる起動処理を具体的に説明する。なお、図６に示すＣ１１〜Ｃ１５の各処理は、撮像装置付き携帯電話機を統括的に制御するＣＰＵ（Central Processing Unit）によって行われる。【０００４】
撮像装置を使用する旨の指示がユーザの釦操作やケーシングの開操作により入力されると、まず、ＣＰＵから電力供給部に対し撮像装置に電力を供給する制御が行われて撮像装置に電力が供給される（ステップＣ１１）。【０００５】
次いで、撮像装置のアクチュエータ、ストロボ等の撮影付帯機能手段にクロックの供給が行われた後（ステップＣ１２）、各部位の機能に対して予め定められた制御パラメータが読み込まれ（ステップＣ１３）、その制御パラメータに従って各部の初期化が行われ（ステップＣ１４）、起動が完了する（ステップＣ１５）。
【特許文献１】特開２００３−１１５９１１号公報。
【０００６】
しかしながら、上記した従来の起動処理では、撮像装置の未使用時に待機電力等により不用意に電力が消費されてしまう可能性がある。また、撮像装置の各部に電源供給及びクロックの供給後、各部を設定する制御パラメータを読み込んで各部の初期化を行うため、制御パラメータが読み込まれて初期化が行われる迄の間、不用意に電力が消費されてしまう可能性がある。例えば、ストロボを有した撮像装置の場合、設定パラメータに自動的にストロボ充電を行わないような設定がされていたとしても、この設定パラメータが読み込まれて初期化が行われるまでの間はストロボを制御することができないため、この間にストロボ充電が行われてしまう等の可能性がある。【０００７】
さらに、上記した従来の起動処理では、撮像装置の各部が有する機能を予め定められた設定で起動させるよう制御が行われるだけであるため、起動処理時に設定パラメータを変更するようなことは行うことができない。また、特許文献１では撮像装置の起動処理に関して具体的に記載されておらず、上記した課題を解決することはできない。
【発明の開示】
【０００８】
上記の従来の情報端末装置及びカメラモジュールにおける欠点を克服するため、本発明の目的は、消費電力の低減化を図るとともに、効率的な起動処理を行うことが可能な撮像装置を提供することである。
【０００９】
上述した欠点を克服するため、上記の目的は以下に記載した情報端末装置及びカメラモジュールによって達成される。
（１）  被写体を撮像して画像データを出力するカメラモジュールと、当該カメラモジュールに電力を供給する電力供給手段と、前記カメラモジュールを起動させる旨の起動信号を出力する第１の制御手段とを備えた情報端末装置であって、前記カメラモジュールが、撮像手段と、複数の撮影付帯機能手段と、前記供給された電力を調整するとともに当該調整された電力を前記カメラモジュールの各部に供給する電力調整手段と、前記カメラモジュールの各部にクロック信号を供給するクロック信号供給手段と、前記第１の制御手段から出力された起動信号を受信する起動信号受信手段と、前記起動信号が受信されるまでの間、前記クロック信号供給手段及び／又は電力調整手段を制御して、前記撮像手段及び撮影付帯機能手段に対し前記電力及び／又はクロック信号の供給を抑制する第２の制御手段と、を含むことを特徴とする情報端末装置。
【００１０】
なお、ここで「電力を調整」するとは、供給する電力の電圧、電流、周波数等の調整を意味しており、「電力及び／又はクロック信号の供給を抑制」するとは、供給を停止することや、クロック周波数を下げること等を意味している。
（２）  前記カメラモジュールは、前記撮像手段及び撮影付帯機能手段を制御するための制御パラメータを記憶する記憶手段をさらに備え、前記第２の制御手段は、前記起動信号が受信された際に、前記記憶された制御パラメータを読み込み、前記クロック信号供給手段及び／又は電力調整手段を制御して前記撮像手段及び撮影付帯機能手段に対し前記電力及び／又はクロック信号を供給した後、前記読み込まれた設定パラメータに基づいて前記撮像手段及び撮影付帯機能手段を起動させる制御を行うことを特徴とする１項に記載の情報端末装置。
（３）  前記第２の制御手段は、前記受信された起動信号が前記制御パラメータを変更する旨の信号を含んでいた際に、当該起動信号に基づいて前記制御パラメータを更新した後、この更新された設定パラメータを読み込むことを特徴とする２項に記載の情報端末装置。
（４）  前記制御パラメータは、前記撮像手段及び撮影付帯機能手段の動作を制御することが可能なデータを含んでいることを特徴とする２項又は３項に記載の情報端末装置。
（５）  前記起動信号は、シリアル通信信号であることを特徴とする１項に記載の情報端末装置。
（６）  外部の電力供給手段より電力の供給を受け、外部に設置された第１の制御手段が出力する起動信号に応じて起動するカメラモジュールであって、撮像手段と、複数の撮影付帯機能手段と、前記供給された電力を調整するとともに当該調整された電力を前記カメラモジュールの各部に供給する電力調整手段と、前記カメラモジュールの各部にクロック信号を供給するクロック信号供給手段と、前記第１の制御手段から出力された起動信号を受信する起動信号受信手段と、前記起動信号が受信されるまでの間、前記クロック信号供給手段及び／又は電力調整手段を制御して、前記撮像手段及び撮影付帯機能手段に対し前記電力及び／又はクロック信号の供給を抑制する第２の制御手段と、を含むことを特徴とするカメラモジュール。
（７）  前記撮像手段及び撮影付帯機能手段を制御するための制御パラメータを記憶する記憶手段をさらに備え、
前記第２の制御手段は、前記起動信号が受信された際に、前記記憶された制御パラメータを読み込み、前記クロック信号供給手段及び／又は電力調整手段を制御して前記撮像手段及び撮影付帯機能手段に対し前記電力及び／又はクロック信号を供給した後、前記読み込まれた設定パラメータに基づいて前記撮像手段及び撮影付帯機能手段を起動させる制御を行うことを特徴とする６項に記載のカメラモジュール。
（８）  前記第２の制御手段は、前記受信された起動信号が前記制御パラメータを変更する旨の信号を含んでいた際に、当該起動信号に基づいて前記制御パラメータを更新した後、この更新された設定パラメータを読み込むことを特徴とする７項に記載のカメラモジュール。
（９）  前記制御パラメータは、前記撮像手段及び撮影付帯機能手段の動作を制御することが可能なデータを含んでいることを特徴とする7項又は8項に記載のカメラモジュール。
（１０）  前記起動信号は、シリアル通信信号であることを特徴とする６項に記載のカメラモジュール。
（１１）  前記電力供給手段と、前記第１の制御手段を有する情報端末装置に搭載されることを特徴とする６項乃至１０項に記載のカメラモジュール。
【００１１】
本発明によれば、下記の効果が得られる。
１）．  第２の制御手段は、第１の制御手段から起動信号が入力されるまでの間、クロック信号供給手段及び／又は電力調整手段を制御して撮像手段及び撮影付帯機能手段に対する電力及び／又はクロック信号の供給を抑制する。このことにより、撮像装置の不使用時に待機電力等の無駄な電力消費を低減することが可能であるため、消費電力の低減化を図ることができる。
２）．  カメラモジュールは、撮像手段及び撮影付帯機能手段を制御するための制御パラメータを記憶する記憶手段をさらに備え、第２の制御部は、第１の制御手段から起動信号が入力された際に、記憶手段から制御パラメータを読み込み、撮像手段及び撮影付帯機能手段に対し電力及び／又はクロック信号を供給した後、読み込まれた設定パラメータに基づいて撮像手段及び撮影付帯機能手段を起動させる制御を行う。このことにより、設定パラメータを反映した状態で起動することが可能であるため、効率的な起動処理を行うことができる。
３）．  第１の制御手段から出力された起動信号が制御パラメータを変更する旨の信号を含んでいた際に、第２の制御手段は、この起動信号に基づいて制御パラメータを更新した後、設定パラメータを読み込む。したがって、この更新された設定パラメータに基づいて撮像手段及び撮影付帯機能手段を起動させることになるため、起動時に設定パラメータの変更を迅速に反映させることが可能であり、効率的な起動処理を行うことができる。
４）．  設定パラメータは、撮像手段及び撮影付帯機能手段の動作を制御することが可能なデータを含むようにしたことにより、起動時に撮像装置の各部が有する機能毎の動作を制御することが可能となるため、効率的な起動処理を行うことができる。
５）．  起動信号をシリアル通信信号としたことにより、起動信号を第１の制御手段から第２の制御手段に高速に出力することができる。
【図面の簡単な説明】
【００１２】
【図１】携帯電話機の機能的構成を模式的に示すブロック図である。
【図２】撮像装置の機能的構成を模式的に示すブロック図である。
【図３】撮像装置起動処理の手順を示すフローチャートである。
【図４】起動信号解析処理の手順を示すフローチャートである。
【図５】記憶部に記憶されたプログラムコード及び制御パラメータを模式的に示した図である。
【図６】従来の撮像装置の起動処理の手順を示すフローチャートである
【発明を実施するための最良の形態】
【００１３】
以下、本発明の撮像装置をカメラ機能付き携帯電話機１０に適用した例を、図１〜図５を参照して詳細に説明する。【００１４】
図１に携帯電話機１０の機能的構成を示す。図１に示すように、携帯電話機１０は、メインＣＰＵ１１、表示部１２、入力部１３、ＲＡＭ（Random Access Memory）１４、通信制御部１５、記憶部１６、音声入出力部１７、電源部１８、カメラモジュール２０等を備えて構成され、各部はバス１９により接続されている。【００１５】
メインＣＰＵ１１は、記憶部１６に記憶されているシステムプログラムを読み出し、ＲＡＭ１４内に形成されたワークメモリに展開し、該システムプログラムに従って各部を制御する。また、メインＣＰＵ１１は、記憶部１６に記憶されている各種処理プログラムやメールソフト等のアプリケーションプログラムを読み出してワークメモリに展開し、各種処理を実行し、それらの処理結果をＲＡＭ１４内のワークメモリに記憶すると共に表示部１２に表示させる。そして、ワークメモリに格納した処理結果を記憶部１６内の指定の保存先に保存させる。【００１６】
また、メインＣＰＵ１１は、ユーザから入力部１３を介して入力される撮影を行う旨の信号を受信すると、この入力信号に基づいてカメラモジュール２０を起動させる起動信号をシリアル通信Ｉ／Ｆ２１２を介してサブＣＰＵ２１０に出力する。【００１７】
表示部１２は、ＬＣＤ（Liquid Crystal Display）パネル等により構成され、メインＣＰＵ１１から入力される表示データに基づいて画面表示を行う。【００１８】
入力部１３は、カーソルキー、文字／数字キー、各種機能キー等を有し、そのキー操作による押下信号をメインＣＰＵ１１に出力する。【００１９】
ＲＡＭ１４は、バッファとして各種プログラムや処理中のデータ、処理結果などを一時的に記憶するワークエリアを形成する。【００２０】
通信制御部１５は、不図示のアンテナを含む無線通信部で構成され、メインＣＰＵ１１から入力される指示に従って、無線基地局を介して通信ネットワークＮ上の各機器と各種情報を送受信する。【００２１】
記憶部１６は、フラッシュメモリなどの不揮発メモリ等により構成され、携帯電話機１０に対応するシステムプログラム、及び該システムプログラム上で実行可能な各種処理プログラム、アプリケーションプログラム及びこれらのプログラムで処理されたデータ等を記録する。【００２２】
音声入出力部１７は、マイク、スピーカ、増幅器、Ａ／Ｄ変換部、及びＤ／Ａ変換部等を有し、マイクから入力されるユーザの音声信号をデジタル音声情報に変換し、その音声情報をメインＣＰＵ１１に出力するとともに、受話中にメインＣＰＵ１１から入力される音声情報や、着信音、操作確認音等の音声情報をアナログの音声信号に変換して増幅し、スピーカから出力する。【００２３】
電源部１８は、電源用回路や充電池等により構成され、メインＣＰＵ１１から入力される指示に基づいて、携帯電話機１０が有する各機能部への電源供給を行う。【００２４】
カメラモジュール２０は、図２に示すように、光学レンズ２０１、ＣＣＤ（Charge Coupled Diode）２０２、Ａ／Ｄ回路２０３、信号処理回路２０４、画像出力Ｉ／Ｆ２０５、アクチュエータ２０６、ストロボ２０７、記憶部２０８、電源回路２０９、サブＣＰＵ２１０、クロック回路２１１、シリアル通信Ｉ／Ｆ２１２等により構成されている。【００２５】
光学レンズ２０１は、ガラス又はプラスチックから構成され、被写体の光画像を結像し、ＣＣＤ２０２は、光学レンズ２０１によって受光面上に結像された光画像信号をアナログ画像信号に変換する。【００２６】
Ａ／Ｄ回路２０３は、ＣＣＤ２０２から出力されたアナログ画像信号をデジタの画像データに変換し、信号処理回路２０４に出力する。信号処理回路２０４は、Ａ／Ｄ回路２０３から出力された画像データに対して、ガンマ補正、ホワイトバランス補正等の処理を施して画像出力Ｉ／Ｆ２０５に出力を行う。【００２７】
画像出力Ｉ／Ｆ２０５は、信号処理回路２０４から出力されるデジタル画像信号をメインＣＰＵ１１に出力するためのインターフェイスであり、一方向の高速なバスによってメインＣＰＵ１１と接続されている。【００２８】
アクチュエータ２０６は、不図示のアクチュエータ駆動回路を有しており、サブＣＰＵ２１０の制御に応じて、例えば、光学レンズ２０１の移動によるズーミング、ストロボ２０７のポップアップ、光学レンズ２０１のレンズバリア（図示略）の開閉等の駆動を行う。【００２９】
ストロボ２０７は、サブＣＰＵ２１０の制御により被写体に発光タイミングや発光量が調節されたストロボ光を発光する。また、ストロボ２０７は、ストロボ光を発光させるための電荷を蓄積するコンデンサと、コンデンサを充電する充電回路と、キセノン管等からなる発光部（何れも図示せず）とを備えており、電源回路２０９から供給される電流が充電回路に供給されて、コンデンサに発光エネルギーとなる電荷が蓄積される。【００３０】
記憶部２０８は、フラッシュメモリなどの不揮発メモリ等により構成され、カメラモジュール２０の各部の制御に必要なプログラムコード及び制御パラメータが記憶されている。【００３１】
図５は記憶部２０８に記憶されたプログラムコード及び制御パラメータを模式的に示した図である。ここで、制御パラメータとしてのシーケンスデータは、カメラモジュール２０の各部の動作に関連する設定データであり、例えば、ストロボ２０７のストロボ機能や自動充電機能の使用有無、アクチュエータ２０６のフォーカス機能等が設定されている。カメラモジュール２０の起動処理の際には、このシーケンスデータが読み込まれた後、この読み込まれたデータに基づいてカメラモジュール２０の各部の起動が行われる。【００３２】
また、制御パラメータとしてのカメラパラメ−タは、カメラモジュール２０の調整値、シリアルナンバー、モデルナンバー等のデータであって、例えば、光学レンズ２０１の無限位置ばらつきを補正するためのデータや、ＣＣＤ２０２の色ばらつき補正等を行うデータである。カメラモジュール２０の起動処理の際には、このカメラパラメ−タが読み込まれた後、この読み込まれたデータに基づいてカメラモジュール２０の各部の起動が行われる。【００３３】
プログラムコードは、カメラモジュール２０の各部の制御に必要なプログラムコードであって、後述する撮像装置の起動処理プログラム、起動信号解析処理プログラム等が記憶されている。【００３４】
電源回路２０９は、電源部１８から供給される電力の電圧調整等を行い、サブＣＰＵ２１０の制御に応じて、カメラモジュール２０の各部位に電力供給を行う。【００３５】
サブＣＰＵ２１０は、記憶部２０８に記憶されたプログラムコードに従ってカメラモジュール２０の各部の制御を行うとともに、シリアル通信Ｉ／Ｆ２１２を介してメインＣＰＵ１１から出力される制御信号に基づいてカメラモジュール２０の各部の制御を行う。【００３６】
また、サブＣＰＵ２１０は、カメラモジュール２０が使用されない撮影不可状態の時、カメラモジュール２０の各部（２０２〜２０７）に対し、電源回路２０９の電力供給を停止するよう制御して、電力消費ゼロの完全停止状態にするとともに、クロック回路２１１を制御してサブＣＰＵ２１０自らに対して供給されるクロック周波数を抑制しサブＣＰＵ２１０自らをスタンバイ状態として、メインＣＰＵ１１から出力される起動信号に対して待機する制御を行う。【００３７】
このように、カメラモジュール２０が使用されない撮影不可状態の時に、カメラモジュール２０の各部の消費電力を抑えるよう制御を行うことにより、消費電力の低減化を図ることができる。なお、ここで、カメラモジュール２０の各部（２０２〜２０７）に対する電力供給を停止させることとしたが、これに限らず、各部（２０２〜２０７）に対して電力供給を通常どおり行い、各部（２０２〜２０７）に対してクロック回路２１１から供給されるクロック周波数を抑制して、スタンバイ状態やスリープ状態の低消費電力状態としてもよい。また、サブＣＰＵ２１０自らもスタンバイ状態とすることとしたが、これに限らず、正常稼動状態としてもよい。【００３８】
また、サブＣＰＵ２１０は、メインＣＰＵから出力された起動信号をシリアル通信Ｉ／Ｆ２１２を介して受信すると、記憶部２０８に記憶されたシーケンスデータ及びカメラパラメータを読み込み、この読み込まれた値に基づいてカメラモジュール２０各部を起動させる。なお、起動信号に含まれるコマンドデータが、記憶部２０８に記憶されたシーケンスデータの設定値を更新させる旨のデータであった場合、サブＣＰＵ２１０は、このコマンドデータの指示に基づいて記憶部２０８のシーケンスデータの設定を更新し、更新後のシーケンスデータ及びカメラパラメータを読み込み、この読み込まれた値に基づいてカメラモジュール２０の各部（２０２〜２０７）を起動させる。【００３９】
クロック回路２１１は、サブＣＰＵ２１０の制御に基づいて撮像装置各部に動作クロックの供給を行う。なお、メインＣＰＵ１１からの起動信号を待機している状態では、サブＣＰＵ２１０の制御によりクロック回路２１１からのクロック供給を停止している。このようにすることにより、撮像装置の消費電力を低減することが可能となる。【００４０】
シリアル通信Ｉ／Ｆ２１２は、サブＣＰＵ２１０とメインＣＰＵ１１とを接続するためのシリアル通信インターフェイスであって、メインＣＰＵから入力される起動信号やその他制御信号をサブＣＰＵ２１０に出力を行うとともに、サブＣＰＵ２１０から入力される各種信号をメインＣＰＵ１１に出力を行う。【００４１】
次に、本実施の形態の動作を図３、図４のフローチャートを参照して説明する。【００４２】
図３は、携帯電話機１０における撮像装置起動処理の流れを示すフローチャートである。なお、図３に示すＡ１１、Ａ１２の各処理はメインＣＰＵ１１により行われ、図３のＢ１１〜Ｂ１８及び図４のＢ１４１〜Ｂ１４４の各処理は、サブＣＰＵ２１０により行われる。【００４３】
まず、携帯電話機１０は、撮影を行わないカメラモジュール停止状態であるとする。この際、サブＣＰＵ２１０により電源回路２０９の電力供給が制御されて、撮像装置の各部（２０２〜２０７）が完全停止されるとともに、クロック回路２１１から供給されるクロック周波数を制御してサブＣＰＵ２１０自らをスタンバイ状態とし、メインＣＰＵ１１から起動信号が出力されたか否かが監視される（ステップＢ１１）。【００４４】
カメラモジュールを起動させる旨の入力信号が入力部１３等から入力されると、メインＣＰＵ１１により、カメラモジュールを起動させる起動信号がシリアル通信Ｉ／Ｆ２１２を介してサブＣＰＵ２１０に出力される(ステップＡ１１)。なお、この起動信号は、シリアル通信の信号であって、記憶部２０８に記憶されたシーケンスデータの各設定の変更が可能なコマンドデータを含んでいる。【００４５】
ステップＡ１１で出力された起動信号をサブＣＰＵ２１０が受信すると（ステップＢ１２）、まず、サブＣＰＵ２１０自らが起動されて（ステップＢ１３）、受信された起動信号の解析処理が行われる（ステップＢ１４）。【００４６】
ここで、図４を参照して起動信号解析処理（ステップＢ１４）を説明する。【００４７】
まず、シリアル通信Ｉ／Ｆ２１２により受信された起動信号に含まれるコマンドデータが解析され（ステップＢ１４１）、そのコマンドデータが、記憶部２０８に記憶されたシーケンスデータの各設定値を更新するものか否かが判断される（ステップＢ１４２）。【００４８】
コマンドデータがシーケンスデータの設定を更新する旨のデータであった場合（ステップＢ１４２；Ｙｅｓ）、サブＣＰＵ２１０により、記憶部２０８に記憶されたシーケンスデータの設定がコマンドデータで指示された設定に更新され（ステップＢ１４３）、この更新されたシーケンスデータ及びカメラパラメータが読み込まれて（ステップＢ１４４）、ステップＢ１５に移行する。【００４９】
一方、コマンドデータがシークエンスデータの設定を更新しない旨のデータであった場合は（ステップＢ１４２；Ｎｏ）、記憶部２０８に記憶されているシーケンスデータ及びカメラパラメータが読み込まれて（ステップＢ１４４）、ステップＢ１５に移行する。【００５０】
図３に戻り、ステップＢ１４の後、電源回路が制御されてカメラモジュール２０の各部（２０２〜２０７）に必要な電力の供給が行われるとともに（ステップＢ１５）、クロック回路２１１が制御されてカメラモジュール２０の各部（２０２〜２０７）に必要なクロックの供給が行われる（ステップＢ１６）。【００５１】
続いて、ステップＢ１４の起動信号解析処理で記憶部２０８から読み込まれたシーケンスデータ及びカメラパラメータに基づいて、カメラモジュール２０の各部（２０２〜２０７）の初期化が行われ（ステップＢ１７）、起動が完了すると起動完了の旨の起動完了信号がシリアル通信Ｉ／Ｆ２１２を介してメインＣＰＵ１１に出力されて（ステップＢ１８）、カメラモジュール２０の起動処理は終了する。【００５２】
ステップＢ１８で出力された起動完了信号がシリアル通信Ｉ／Ｆ２１２を介してメインＣＰＵ１１に受信されると（ステップＡ１２）、メインＣＰＵ１１によりカメラモジュール２０の起動が完了したと判断されて、携帯電話機１０の起動処理は終了する。【００５３】
以上のように、本実施の形態によれば、メインＣＰＵ１１から起動信号が入力された際に、シーケンスデータ及びカメラパラメータを読み込んだ後に、この読み込まれたシーケンスデータ及びカメラパラメータに基づいてカメラモジュール２０の各部を起動させる制御を行うようにしたことにより、例えば、ストロボ２０７のストロボ機能は使用するが自動充電機能は使用しない等の設定をカメラモジュール２０の起動前に読み込み、この設定値に基づいて起動処理を行うことが可能であるため、カメラモジュール２０の起動時の効率的な制御を可能とすることができる。【００５４】
また、起動信号に含まれるコマンドデータがシーケンスデータの各設定を変更するデータであった際に、起動信号に含まれるコマンドデータに基づいてシーケンスデータの各設定を更新し、この更新されたシーケンスデータ及びカメラパラメータを読み込んだ後に、この読み込まれたシーケンスデータ及びカメラパラメータに基づいてカメラモジュール２０の各部位を起動させる制御を行うようにしたことにより、例えば、ストロボ２０７の自動充電機能は使用すると設定されていたものを使用しないよう設定変更する等、ユーザのニーズや携帯電話機１０の機能的要請などに応じた設定変更がカメラモジュール２０の起動前に可能であり、この更新された設定値に基づいて起動処理を行うことが可能であるため、カメラモジュール２０の起動時の効率的な制御を可能とすることができる。【００５５】
なお、本実施の形態では、起動信号に含まれるコマンドデータに基づいて記憶部２０８に記憶されたシーケンスデータの設定を更新することとしたが、これに限らず、例えば、コマンドデータが記憶部２０８に記憶されたカメラパラメータの設定を更新する旨のデータであった場合、当該コマンドデータに基づいてカメラパラメータを変更することとしてもよい。【００５６】
本実施の形態における記述は、本発明に係る撮像装置の一例を示すものであり、これに限定されるものではない。本実施の形態における携帯電話機１０の細部構成及び詳細動作に関しては、本発明の趣旨を逸脱しない範囲で適宜変更可能である。【００５７】
例えば、本発明の撮像装置を備えた撮像装置として、携帯電話機１０を用いて説明したが、これに限らず、デジタルカメラやカメラ機能を備えたＰＤＡ等であってもよい。
【図１】
2005101814.tif 000002
【図２】
2005101814.tif 000003
【図３】
2005101814.tif 000004
【図４】
2005101814.tif 000005
【図５】
2005101814.tif 000006
【図６】
2005101814.tif 000007
【国際調査報告】
2005101814.tif 000008
2005101814.tif 000009
2005101814.tif 000010
2005101814.tif 000011